(57)【要約】【課題】野外に設置するなどの厳しい環境下でも支障がなく、しかも、構造も簡易で製造コストの低減やメンテナンス性の向上を図ることのできる照明表示装置を提供する。【解決手段】本発明の照明表示装置は、少なくとも一端が開放され、少なくとも軸線方向に線状に延在する透光領域を備えてなる一体の筒状ケース１１１と、該筒状ケース１１１の前記少なくとも一端に取り付けられた端部カバー１１２，１１３と、前記筒状ケース１１１の内部に配置され、半径方向外側に光を放射し軸線方向に延在する発光範囲を備えた光源１１４と、前記筒状ケース１１１の外部において前記透光領域を介して前記発光範囲と対向配置され、前記軸線方向に延在する入射端部を備えた導光板１２３，１２４を有する表示体１２０と、を具備することを特徴とする。【選択図】図２
2009098313.tif 000002
【特許請求の範囲】
【請求項１】
少なくとも一端が開放され、少なくとも軸線方向に線状に延在する透光領域を備えてなる一体の筒状ケースと、
該筒状ケースの前記少なくとも一端に取り付けられた端部カバーと、
前記筒状ケースの内部に配置され、半径方向外側に光を放射し軸線方向に延在する発光範囲を備えた光源と、
前記筒状ケースの外部において前記透光領域を介して前記発光範囲と対向配置され、前記軸線方向に延在する入射端部を備えた導光板を有する表示体と、
を具備することを特徴とする照明表示装置。
【請求項２】
前記筒状ケースの内部に配置され、前記光源へ電力を供給する電力供給回路をさらに具備することを特徴とする請求項１に記載の照明表示装置。
【請求項３】
前記筒状ケースの内部に配置され、外部の明るさを検出する光センサをさらに具備し、該光センサの出力に応じて前記電力供給回路が前記光源の点灯状態を制御することを特徴とする請求項２に記載の照明表示装置。
【請求項４】
少なくとも一端が開放され、透光性を備えた一体の筒状ケースと、
該筒状ケースの前記少なくとも一端に取り付けられた端部カバーと、
前記筒状ケースの内部に配置され、半径方向外側に光を放射し軸線方向に延在する発光範囲を備えた光源と、
前記筒状ケースを通して前記発光範囲と対向配置され、前記軸線方向に延在する入射端部を備えた導光板を有する表示体と、
前記筒状ケースの内部に配置され、前記光源とは異なる方位に光を放射する副光源と、
を具備することを特徴とする照明表示装置。
【請求項５】
前記筒状ケースの内部に配置され、前記光源及び前記副光源へ電力を供給する電力供給回路をさらに具備することを特徴とする請求項４に記載の照明表示装置。
【請求項６】
前記筒状ケースの内部に配置され、外部の明るさを検出する光センサをさらに具備し、該光センサの出力に応じて前記電力供給回路が前記光源及び前記副光源の点灯状態を制御することを特徴とする請求項５に記載の照明表示装置。
【請求項７】
前記副光源は前記筒状ケースを通して外側より前記表示体を照明することを特徴とする請求項４乃至６の何れか一項に記載の照明表示装置。
【請求項８】
前記表示体の前記筒状ケース側の基端部から前記筒状ケースの外面に亘って遮光する遮光部材が設けられていることを特徴とする請求項１乃至７のいずれか一項に記載の照明表示装置。
【請求項９】
前記遮光部材は光反射性の内面を有することを特徴とする請求項８に記載の照明表示装置。
【請求項１０】
前記光源と前記入射端部との間に介在する前記筒状ケースの透光領域の内面と外面の少なくとも一方の軸線方向と直交する断面形状が平坦に構成されていることを特徴とする請求項１乃至９のいずれか一項に記載の照明表示装置。
【請求項１１】
前記光源と前記入射端部の間に介在する前記筒状ケースの透光領域の内面と外面の少なくとも一方の軸線方向と直交する断面形状が凸曲面状に構成されていることを特徴とする請求項１乃至９のいずれか一項に記載の照明表示装置。
【発明の詳細な説明】
【技術分野】
【０００１】
本発明は照明表示装置に係り、特に、光源と、該光源から放出される光を入射する入射端部を備えた導光板とを有することで照明効果を得るように構成された表示装置に関する。
【背景技術】
【０００２】
一般に、照明効果を得るように構成された照明看板などとして、蛍光管やＬＥＤなどの光源から放出された光を入射端部から導光板内に入射させ、導光板の内部を伝播させながら導光板の表面から照明光が出射するように構成するとともに、当該導光板の表面に印刷層を形成したり導光板の前面上に透過性表示シートなどを配置したりすることで、看板の表示が明るく視認されるように構成されたものが知られている（たとえば、以下の特許文献１ないし９参照）。
【特許文献１】特開昭６１−１９９１９４号公報
【特許文献２】特開平１１−２２４０６８号公報
【特許文献３】特開２００１−１５９８７４号公報
【特許文献４】特開２００６−１１１０１号公報
【特許文献５】特開２０００−２０６９１１号公報
【特許文献６】特開２００６−２１５４３２号公報
【特許文献７】特開２００３−９１２５０号公報
【特許文献８】特表２００４−５２６１９２号公報
【特許文献９】特開２００７−４１６２２号公報
【発明の開示】
【発明が解決しようとする課題】
【０００３】
しかしながら、上記従来の照明表示装置のうち光源及びその電力供給系（実装基板や駆動回路など）と広告看板等を構成する表示体とが直接対面している構造を有するものは、野外に長期間設置する場合において、表示体内に侵入した水や粉塵等が光源や電力供給系を汚染したり損傷させたりする虞がある。また、光源と表示体が一体構造となっているために、表示体の変更、更新、或いは、光源や電力供給系の交換、修理等を行う際の作業が煩雑になるという問題点もある。
【０００４】
また、照明表示装置を野外に設置するには表示体やケース体の密閉性を高めるためにシール構造を設ける必要があることから、製造コストが増大するとともに構造が複雑化し、メンテナンス性も悪化するという問題点もある。
【０００５】
さらに、表示体に対して光源及び電力供給系とが隔絶された構造の装置（たとえば、上記特許文献３）も存在するが、本来的に密閉構造を有しない室内用のものであり、野外等の厳しい環境下に長期間設置する使用態様には適合しない。
【０００６】
そこで、本発明は上記問題点を解決するものであり、その課題は、野外に設置するなどの厳しい環境下でも支障がなく、しかも、構造も簡易で製造コストの低減やメンテナンス性の向上を図ることのできる照明表示装置を提供することにある。
【課題を解決するための手段】
【０００７】
斯かる実情に鑑み、第１の発明の照明表示装置は、少なくとも一端が開放され、少なくとも軸線方向に線状に延在する透光領域を備えてなる一体の筒状ケースと、該筒状ケースの前記少なくとも一端に取り付けられた端部カバーと、前記筒状ケースの内部に配置され、半径方向外側に光を放射し軸線方向に延在する発光範囲を備えた光源と、前記筒状ケースの外部において前記透光領域を介して前記発光範囲と対向配置され、前記軸線方向に延在する入射端部を備えた導光板を有する表示体と、を具備することを特徴とする。この発明によれば、光源が筒状ケースの内部に配置され、光源から放射された光が筒状ケースの透光領域を通して表示体の導光板に入射するように構成されているので、野外などの厳しい環境下でも発光部分の汚染や損傷を確実に防止できる。
【０００８】
本発明において、前記筒状ケースの内部に配置され、前記光源へ電力を供給する電力供給回路をさらに具備することが好ましい。筒状ケース内にさらに電力供給回路も収容されることで、耐候性をさらに高めることできる。
【０００９】
本発明において、前記筒状ケースの内部に配置され、外部の明るさを検出する光センサをさらに具備し、該光センサの出力に応じて前記電力供給回路が前記光源の点灯状態を制御することが好ましい。
【００１０】
上記第１の発明において、固定された支持フレームをさらに具備し、前記光源は前記支持フレームの光源支持部の前記入射端部側に取り付けられ、前記電力供給回路は前記光源支持部の前記入射端部とは反対側に取り付けられていることが望ましい。
【００１１】
次に、第２の発明の照明表示装置は、少なくとも一端が開放され、透光性を備えた一体の筒状ケースと、該筒状ケースの前記少なくとも一端に取り付けられた端部カバーと、前記筒状ケースの内部に配置され、半径方向外側に光を放射し軸線方向に延在する発光範囲を備えた光源と、前記筒状ケースを通して前記発光範囲と対向配置され、前記軸線方向に延在する入射端部を備えた導光板を有する表示体と、前記筒状ケースの内部に配置され、前記光源とは異なる方位に光を放射する副光源と、を具備することを特徴とする。この発明によれば、耐候性を確保するとともに副光源による照明効果をも得ることができる。なお、副光源は軸線周りの半径方向外側に光を放射するように構成されていることが好ましい。
【００１２】
本発明において、前記筒状ケースの内部に配置され、前記光源及び前記副光源へ電力を供給する電力供給回路をさらに具備することが好ましい。
【００１３】
本発明において、前記筒状ケースの内部に配置され、外部の明るさを検出する光センサをさらに具備し、該光センサの出力に応じて前記電力供給回路が前記光源及び前記副光源の点灯状態を制御することが好ましい。
【００１４】
本発明において、前記副光源は前記筒状ケースを通して外側より前記表示体を照明することが好ましい。副光源が外側より表示体を照明することで、表示体の照明効果をさらに高めることができるとともに、表示体の表示態様に応じて透過照明とは異なる外観を構成することも可能になる。
【００１５】
上記第２の発明において、前記筒状ケースの内部に固定された筒状の支持フレームをさらに具備し、前記光源及び前記副光源は前記支持フレームの半径方向外側に取り付けられ、前記電力供給回路は前記支持フレームの内部に取り付けられていることが望ましい。
【００１６】
上記各発明において、前記表示体の前記筒状ケース側の基端部から前記筒状ケースの外面に亘って遮光する遮光部材が設けられていることが好ましい。これによれば、遮光部材により筒状ケースと表示体の間の漏洩光が外部から視認されないようにすることができるため、表示体の視認性を向上できる。
【００１７】
この場合において、前記遮光部材は光反射性の内面を有することが望ましい。これによれば、上記漏洩光を導光板内に戻すことでより効率的に表示体を照明することができる。
【００１８】
また、上記各発明において、前記光源と前記入射端部との間に介在する前記筒状ケースの透光領域の内面と外面の少なくとも一方の軸線方向と直交する断面形状が平坦に構成されていることが好ましい。これによれば、光源から透光領域を通して導光板に入射する過程で光が拡散することを抑制できる。
【００１９】
さらに、上記各発明において、前記光源と前記入射端部の間に介在する前記筒状ケースの透光領域の内面と外面の少なくとも一方の軸線方向と直交する断面形状が凸曲面状に構成されていることが好ましい。これによれば、光源から透光領域を通して導光板に入射する光を集光することができるため、より効率的に表示体を照明することができる。
【００２０】
上記各発明において、前記表示体は前記端部カバーに保持された側部フレームを有し、前記導光板の軸線方向の側部が前記側部フレームに直接若しくは間接的に保持されていることが望ましい。
【発明を実施するための最良の形態】
【００２１】
以下、本発明の実施の形態を図示例と共に説明する。図１は本発明に係る照明表示装置１００の全体構成を示す概略斜視図、図２は表示面に沿った断面を示す概略縦断面図、図３は表示面と直交する断面を示す概略縦断面図である。
【００２２】
本実施形態は、略円柱状に構成された照明体１１０と、照明体１１０の軸線（以下、単に「軸線」と言い、その方向を「軸線方向」、その周囲を周回する向きを「軸線周り」と言う。また、当該軸線と直交する平面に沿った方向において軸線から離れる方向を「半径方向外側」と言う。）と平行な幅方向を有する略平板状に構成された表示体１２０と、表示体１２０の照明体１１０とは反対側の端部に取付けられた略円柱状の先端被覆体１３０とを有している。
【００２３】
照明体１１０は、両端部が開放された円筒状のアクリル樹脂やポリカーボネート樹脂等よりなる透明な筒状ケース１１１と、この筒状ケース１１１の両端に装着された端部カバー１１２、１１３とからなるケース体を有する。端部カバー１１２，１１３にはそれぞれ表示体１２０側に突出する支持枠部１１２ａ、１１３ａが一体に設けられている。
【００２４】
表示体１２０はアクリル樹脂やポリカーボネート樹脂等よりなる透明な表示板１２１、１２２を表裏に有し、これらの表示板１２１，１２２の間にアクリル樹脂やポリカーボネート樹脂等よりなる透明な導光板１２３，１２４が配置されている。導光板１２３，１２４の間には白色ポリエチレンテレフタレートや金属箔等よりなる反射シート１２５が介挿されている。また、これらの積層構造の軸線方向両端には、ステンレス鋼やアルミニウム等よりなる断面コ字状の側部フレーム１２６、１２７が嵌合し、上記積層構造を保持している。側部フレーム１２６、１２７の一端部は上記端部カバー１１２，１１３の支持枠部１１２ａ，１１３ａに保持（取付固定）されている。
【００２５】
また、先端被覆体１３０は両端部が閉鎖された略円筒状で軸線方向にスリット１３１ａが設けられた筒状枠１３１と、この筒状枠１３１の両端部に装着された端部カバー１３２，１３３とを有している。筒状枠１３１のスリット１３１ａには上記表示体１２０の照明体１１０とは反対側にある先端部が導入されている。また、端部カバー１３２，１３３にはそれぞれ表示体１２０側に突出する支持枠部１３２ａ，１３３ａが一体に設けられ、これらの支持枠部１３２ａ、１３３ａは上記側部フレーム１２６、１２７の先端部を保持（取付固定）している。
【００２６】
照明体１１０のケース体の内部には、多数のＬＥＤ等の点状光源が軸線方向に配列された態様で、全体として軸線方向に延在する発光範囲を有する光源１１４が構成され、上記点状光源は基板１１５上に実装されている。光源１１４は半径方向外側に高い指向性（例えば指向角が１５度以下）を有するものが好ましい。基板１１５は軸線方向に延在した帯状に構成され、筒状ケース１１１の内部に固定される支持フレーム１１６の外面上に取り付けられている。支持フレーム１１６は上記端部カバー１１２，１１３に取付ねじなどの固定手段１１２ｂ、１１３ｂによって固定される。固定手段１１２ｂ、１１３ｂは端部カバー１１２，１１３の外部より操作することで、端部カバー１１２，１１３から支持フレーム１１６を取り外すことができるようになっている。なお、端部カバー１１２，１１３の外部端面上には上記固定手段１１２ｂ、１１３ｂとともに取付具や支柱等に装着するためのねじ穴等よりなる取付手段１１２ｃ、１１３ｃが設けられている。
【００２７】
表示体１２０の基端部（照明体１１０側の端部）の表裏（表示板１２１，１２２の基端部表面）には遮光板（シート又はテープ）１２８、１２９が被覆し、これらの遮光板１２８、１２９は表示体１２０の基端部から上記照明体１１０の筒状ケース１１１の外面上に亘り一体に設けられ、照明体１１０と表示体１２０の双方に接着等によって固定されている。遮光板１２８、１２９は遮光性素材で構成されるが、ステンレス鋼、アルミニウム、白色ポリエチレンテレフタレート等の光反射性素材で構成されることが好ましい。これによって遮光板１２８，１２９の内面が光反射性となるので、照明体１１０と表示体１２０の間及び表示体１２０の基端部からの光の漏洩を防止するだけでなく、当該光の反射によって表示体１２０への光の導光効率を高めることができる。
【００２８】
図４は上記筒状ケース１１１の内部に収容配置される内部構造の正面図、図５は同内部構造から電源回路１１７及び駆動回路１１８を除いた部分を軸線方向と直交する断面で示す縦断面図、図６は照明体１１０全体を軸線方向に沿った断面で示す縦断面図である。
【００２９】
支持フレーム１１６は全体として筒状ケース１１１と同じ軸線に沿って伸びる筒形状、具体的には断面多角筒形状（図示例では六角筒形状）に構成される。支持フレーム１１６は二つのフレーム材１１６Ａと１１６Ｂを固定したものである。支持フレーム１１６の軸線方向の両端部には半径方向（好ましくは外側）に折り返された端片部１１６ａ、１１６ｂが設けられ、これらの端片部１１６ａ，１１６ｂが端部カバー１１２，１１３に対して固定手段１１２ｂ、１１３ｂによって固定される。
【００３０】
支持フレーム１１６の内部には、上記基板１１５とともに電力供給系を構成する電源回路１１７及び駆動回路１１８が配置されている。電源回路１１７はたとえばＡＣ安定化電源である。この電源回路１１７は駆動回路１１８に必要な電力を供給するもので、図示しない商用電源に接続されるべき電源コード１１７ａが端部カバー１１２の防水シール１１２ｄを取り付けた導入孔を介して導入されている。
【００３１】
コントローラ（駆動回路）１１８はＣＰＵや論理回路等を構成する集積回路チップ、その他の電子部品などで構成され、上記光源１１４に適した電力を供給し、その点灯状態を制御する。特に、図６に示すように、端部カバー１１３の透光窓１１３ｄを介して外部の明るさを検出する光センサ（フォトダイオードなど）１１９が筒状ケース１１１の内部に配置される場合には、当該光センサ１１９の出力に応じて光源１１４及び後述する副光源１１４ｓの点灯状態や輝度を制御する。たとえば、外部が明るいときには光源１１４及び副光源１１４ｓを消灯させ、外部が暗くなると点灯させる。また、光源１１４と副光源１１４ｓとを時差点灯させるようにしてもよい。また、光源１１４及び光源１１４ｓの輝度に応じて電圧値を制御し、一定の輝度を得るように構成することもできる。
【００３２】
本実施形態では、支持フレーム１１６の図示上部に設けられた光源支持部１１６ｐの外面上に上記光源１１４及び基板１１５が取り付けられている。また、二組の副光源１１４ｓ及び副基板１１５ｓが支持フレーム１１６の図示斜め下方に設けられた副光源支持部１１６ｓの外面上に取り付けられている。光源１１４及び基板１１５並びに二組の副光源１１４ｓ及び副基板１１５ｓは軸線周りの三箇所（１２０度間隔）にそれぞれ半径方向外側を向く姿勢で配置される。光源１１４及び副光源１１４ｓはそれぞれ多数のＬＥＤ等が軸線方向に千鳥状に配列されてなり、いずれも軸線方向に延在する発光範囲を有する。
【００３３】
なお、図５に二点鎖線で示すように、副光源１１４ｓを筒状ケース１１１の内部において光源１１４の側方に配置し、副光源１１４ｓから筒状ケース１１１を通して表示体１２０が外部より照明されるように構成することもできる。この場合、筒状ケース１１１を図示二点鎖線で示すように角筒状に構成することなどにより副光源１１４ｓから放射される光が通過する筒状ケース１１１の透光領域が平坦化され、表示体１２０の外面へ向かう過程で光が拡散したり散乱したりしないように構成することが望ましい。
【００３４】
図７は表示体１２０の全体構成を示す側面図、図８は表示体１２０の拡大部分縦断面図である。表示体１２０は上述のように表示板１２１，１２２、導光板１２３，１２４、及び、反射シート１２５が積層されてなるが、表示板１２１，１２２と導光板１２３，１２４との間に透光性の表示シートＳ１、Ｓ２を介在させ、当該表示シートＳ１、Ｓ２で所望の透過表示を実現するように構成される。ただし、表示板１２１，１２２又は導光板１２３，１２４に所望の表示を施すことで、上記表示シートＳ１、Ｓ２（さらには表示板１２１，１２２）を省略しても構わない。
【００３５】
表示体１２０の基端部には前述の遮光板１２８，１２９が貼着され、遮光機能乃至は反射機能を発揮するように構成される。また、表示体１２０の先端部には反射シート１２５と同様の素材よりなる反射シートＲが装着され、導光板１２３，１２４の端部に到達した光を基端部側に戻すように構成される。当該反射シートＲが装着された表示体１２０の先端部は上記筒状枠１３１のスリット１３１ａを通して導入され、その内部に収容される。
【００３６】
導光板１２３，１２４の外面は微細な凹凸よりなる光出射面１２３ａ，１２４ａとなっており、図８の図示上方へ伝播する内部伝播光を徐々に外側（図示左右方向）に出射させる機能を有する。なお、導光板１２３，１２４は基本的に光出射面１２３ａ，１２４ａから均一な照明光を面状に出射させるものであれば如何なるものであってもよく、たとえば、内面に微細な凹凸が形成されていたり、光散乱性の印刷層が形成されていたりしてもよい。また、反射シート１２５は導光板１２３，１２４の内面から出射する光を反射により再び導光板内に戻し、その先端部から基端部へ向けて逆方向に伝播させるものであり、これによって光は導光板からより効率的に外側へ出射される。
【００３７】
図９は、本実施形態の照明体１１０と表示体１２０の境界部分の構造を示す拡大部分縦断面図である。光源１１４の発光範囲から放射される光は筒状ケース１１１を透過して導光板１２３，１２４の光入射面を構成する端部である入射端部１２３ｂ、１２４ｂから入射し、それぞれの導光板１２３，１２４の内部を図示上方へ伝播していく。この場合、光源１１４をＬＥＤを千鳥状に配列させてあることで、入射端部１２３ｂ、１２４ｂの双方に向けて効率的に光を放射することが可能になっている。ここで、透光領域Ｔは光源１１４と入射端部１２３ｂ、１２４ｂとの間に介在する筒状ケース１１１の透光性を有する部分であり、光源１１４から放射される光は当該透光領域Ｔを通して導光板１２３，１２４に入射する。
【００３８】
本実施形態では、照明体１１０の光源１１４から放射される光を筒状ケース１１１を通して導光板１２３，１２４に導入し、これによって表示体１２０を照明するように構成されるので、表示体１２０の内部に水や粉塵が浸入しても光源１１４及び電力供給回路１１５、１１７、１１８等への影響はない。また、筒状ケース１１１内に配置された副光源１１４ｓによって外部を照明することが可能になるので、たとえば、照明灯付き照明看板として用いることが可能である。光源１１４及び副光源１１４ｓは筒状ケース１１１内に収容された電力供給回路等により夜間など周囲が暗くなる時間帯のみ表示体１２０及び照明灯が点灯するように構成でき、また、光源１１４と副光源１１４ｓを別々に制御して、たとえば夕刻において先に光源１１４により表示体１２０が照明され、遅れて副光源１１４ｓにより照明灯が点灯する時差点灯を行ってもよい。
【００３９】
図１０は異なる構成例を示す拡大部分縦断面図である。この構成例では、筒状ケース１１１のうち光源１１４と入射端部１２３ｂ、１２４ｂの間に介在する透光領域Ｔの内面Ｔｘ及び外面Ｔｙの軸線方向と直交する断面（表面輪郭）を平坦に形成してある。これによって、上記実施形態の光源１１４から放射される光が筒状ケース１１１の透光領域Ｔの円筒面状の内面及び外面によって軸線周りに拡散するといったことを抑制できる。この効果は、内面Ｔｘと外面Ｔｙの少なくとも一方が平坦に構成されることでも得られる。特に、外面Ｔｙが平坦に構成されることで、表示体１２０の基端部と密接させることも可能になる。
【００４０】
図１１はさらに別の構成例を示す拡大部分縦断面図である。この構成例では、筒状ケース１１１のうち光源１１４と入射端部１２３ｂ、１２４ｂの間に介在する透光領域Ｔの内面Ｔｘの軸線方向と直交する断面（表面輪郭）を凸曲面状（図示下に凸の形状）に構成してある。これによって、上記実施形態の光源１１４から放射される光が筒状ケース１１１の円筒面状の内面及び外面によって軸線周りに拡散することを抑制できるだけでなく、当該光を半径方向外側（図示上方）に収束させることができる。ここで、外面Ｔｙの軸線方向と直交する断面（表面輪郭）を平坦に形成してあるのは、上述の先の構成例と同様である。この構成例において、内面Ｔｘの代わりに外面Ｔｙを凸曲面状（図示上に凸の形状）に構成してもよく、或いは、内面Ｔｘと外面Ｔｙの双方を凸曲面状に構成してもよい。
【００４１】
以上説明した実施形態によれば、筒状ケース１１１の内部に光源１１４及び基板１１５、並びに電力供給系を構成する基板１１５、電源回路１１７及びコントローラ１１８（すなわち電力供給回路）を配置し、筒状ケース１１１の透光領域を通して表示体１２０の導光板１２３，１２４に光を導入するように構成してあるので、極めて簡易な構成にも拘わらず、発光体１１０と表示体１２０を隔絶することができるため、野外に設置する場合などの厳しい環境下であっても周到なシール構造などを施さずに発光体１１０の汚染や損傷を確実に防止することができ、しかも、製造コストの低減やメンテナンス性の向上を図ることが可能になる。
【００４２】
尚、本発明の照明表示装置は、上述の図示例にのみ限定されるものではなく、本発明の要旨を逸脱しない範囲内において種々変更を加え得ることは勿論である。たとえば、上記実施形態では照明体１１０の筒状ケース１１１全体が透明素材で構成されているが、透明素材に限らず、半透明素材その他の透光性素材で構成されていればよい。また、筒状ケース１１１のうち光源１１４と入射端部１２３ｂ、１２４ｂの間の部分のみが軸線方向に線状に延在する透光領域Ｔとして構成されているものであってもよい。具体的には、筒状ケース１１１を透光性素材よりなる筒体の上記透光領域Ｔを除く内面又は外面を遮光層で被覆するようにしてもよい。
【００４３】
さらに、筒状ケース１１１は円筒状に構成される場合に限らず、角筒状などの他の筒形状とされたものであってもよく、また、両端部が開放された形状に限らず、一端部が閉鎖され、他端部のみが開放された形状であってもよい。
【００４４】
なお、上記実施形態では照明体１１０を表示体１２０の一方側にのみ配置したが、上記実施形態の先端被覆体１３０の代わりに別の照明体１１０を設けることで、表示体１２０の両側から光を導入するように構成してもよい。また、照明体１１０に複数組の光源１１４を設け、各組それぞれの光源に対応する表示体を設けることで、複数の表示体を備えたものとしても良い。
【図面の簡単な説明】
【００４５】
【図１】実施形態の全体構成を示す概略斜視図。
【図２】実施形態の全体構成を照明体の軸線方向に沿った断面で示す縦断面図。
【図３】実施形態の全体構成を上記軸線方向と直交する断面で示す縦断面図。
【図４】実施形態の照明体の内部構造を示す正面図。
【図５】実施形態の照明体の内部構造を一部省略して上記軸線方向と直交する断面で示す縦断面図。
【図６】実施形態の照明体を上記軸線方向に沿った断面で示す縦断面図。
【図７】実施形態の表示体の全体構成を上記軸線方向と直交する断面で示す縦断面図。
【図８】図７の断面構造を拡大して示す拡大部分縦断面図。
【図９】実施形態の照明体と表示体の境界部分を軸線方向と直交する断面で示す拡大部分縦断面図。
【図１０】異なる構成例の上記境界部分を示す拡大部分縦断面図。
【図１１】さらに別の構成例の上記境界部分を示す拡大部分断面図。
【符号の説明】
【００４６】
１００…照明表示装置、１１０…照明体、１１１…筒状ケース、１１２、１１３…端部カバー、１１２ａ，１１３ａ…支持枠部、１１４…光源、１１５…基板、１１４ｓ…副光源、１１５ｓ…副基板、１１６…支持フレーム、１１７…電源回路、１１８…コントローラ（駆動回路）、１２０…表示体、１２１，１２２…表示板、１２３，１２４…導光板、１２５…反射シート、１２６，１２７…側部フレーム、１２８、１２９…遮光板
【図１】
2009098313.tif 000003
【図２】
2009098313.tif 000004
【図３】
2009098313.tif 000005
【図４】
2009098313.tif 000006
【図５】
2009098313.tif 000007
【図６】
2009098313.tif 000008
【図７】
2009098313.tif 000009
【図８】
2009098313.tif 000010
【図９】
2009098313.tif 000011
【図１０】
2009098313.tif 000012
【図１１】
2009098313.tif 000013